(57)【要約】【課題】  コンピューターシステムで応用される無線カーソル制御装置を提供する。【解決手段】  無線信号を発する本体と、前記無線信号を受信し、コネクタで前記コンピューターシステムに電気的に接続される無線信号受信器と、前記本体に設置され、前記無線信号受信器を置くためのもので、且つ両側に第一凹溝と第二凹溝を有する収納空間と、自身の回復力により前記収納空間に設けられる前記第一凹溝と第二凹溝に係止するための第一部分と第二部分を有し、且つ、前記収納空間を前記無線信号受信器に設置するとき、前記無線信号受信器に当接するための第一突起部と第二突起部を有する固定支持柱を含む。【選択図】  図２（ａ）
2007164758.tif 000002
【特許請求の範囲】
【請求項１】
コンピューターシステムで応用される無線カーソル制御装置であって、前記カーソル制御装置は
無線信号を発する本体と、
前記無線信号を受信し、コネクタで前記コンピューターシステムに電気的に接続される無線信号受信器と、
前記本体に設置され、前記無線信号受信器を置くためのもので、且つ両側に第一凹溝と第二凹溝を有する収納空間と
自身の回復力により前記収納空間に設けられる前記第一凹溝と第二凹溝に係止するための第一部分と第二部分を有し、且つ、前記収納空間を前記無線信号受信器に設置するとき、前記無線信号受信器に当接するための第一突起部と第二突起部を有する固定支持柱を含むことを特徴とする無線カーソル制御装置。
【請求項２】
前記本体がワイヤレスマウス本体で、応用されるコンピューターシステムはパソコン或いはノートパソコンであることを特徴とする請求項1に記載する無線カーソル制御装置。
【請求項３】
前記無線信号受信器がユニバーサルシリアルバスのプラグによりコネクタ式で前記コンピューターシステムに電気的に接続されることを特徴とする請求項1に記載する無線カーソル制御装置。
【請求項４】
前記無線信号受信器の上に第一固定欠部と第二固定欠部を備えることが可能で、前記固定支持柱に設けられる第一突起部と前記第二突起部に当接させることを特徴とする請求項１に記載する無線カーソル制御装置。
【請求項５】
前記収納空間がさらに第三凹溝と前記第三凹溝の上に屋根構造を含み、前記第三凹溝と前記屋根構造は前記収納空間にある前記無線信号受信器と固定できることを特徴とする請求項１に記載する無線カーソル制御装置。
【請求項６】
前記固定支持柱がさらに第三突起部を含み、前記固定支持柱に設けられている前記第一部分及び前記第二部分を前記収納空間に設けられている第一凹溝及び前記第二凹溝に係止する時、前記第三突起部が同時に前記第三凹溝に係止できることを特徴とする請求項4に記載する無線カーソル制御装置。
【請求項７】
前記固定支持柱がステンレスの弾性支持柱で、その前記第一部分と前記第二部分を自身の回復力により前記収納空間に設けられる前記第一凹溝と第二凹溝に係止させることを特徴とする請求項1に記載する無線カーソル制御装置。
【請求項８】
前記固定支持柱が前記収納空間に係止した後、下押しの方法で前記無線信号受信器を前記収納空間に設置でき、前記固定支持柱は前記第一突起部と前記第二突起部により前記無線信号受信器に当接され、前記収納空間の長さはほぼ前記無線信号受信器より大きく、設置後に生じる空間は使用者が前記無線信号受信器を取り出す時に利用できることを特徴とする請求項1に記載する無線カーソル制御装置。
【請求項９】
前記収納空間の長さがほぼ前記無線信号受信器の長さより大きく且つ傾斜面を有し、前記傾斜面は無線信号受信器を前記収納空間に設置する時に、スライド方式で前記無線信号受信器を前記収納空間に設置させることができ、前記固定支持柱は第一突起部と前記第二突起部により前記無線信号受信器に当接されることを特徴とする請求項1に記載する無線カーソル制御装置。
【発明の詳細な説明】
【技術分野】
【０００１】
本発明は無線カーソル制御装置に係わり、特にコンピューターシステムで応用される無線カーソル制御装置である。
【背景技術】
【０００２】
今では、パソコンとノートパソコンは仕事場でも家でもすでに普及率が極めて高い電子製品になっており、それに取り付けられ使用されている周辺機器も「無線」が「有線」に取って代わってきており、ユーザーに対して使用上の利便性を高めるだけでなく、「有線」によって生じる操作上の制限を乗り越えることが可能になる。よくある例は、ワイヤレスマウス、無線キーボード及び無線ネットワークカメラ等で、その中でもワイヤレスマウスと無線キーボードのような入力に必要な道具は現在業界の最重要製品とされている。
【０００３】
ワイヤレスマウスを例に挙げると、ワイヤレスマウスの最大の特徴は本来信号を伝送するために用いられていた信号ケーブルが少なくなるので、後に代わるものには前記ワイヤレスマウスが発する無線信号を受信する信号受信器が必要となり、通常前記信号受信器にユニバーサルシリアルバス（以下略称：USB）形式でコンピューター本体のUSBの接続ポートと連結させ、前記ワイヤレスマウスに前記信号受信器を介してコンピューター本体上でスムーズに操作を行わせることができる。こうなると、信号伝送ケーブルが少ない状態の下で、確かにユーザーが使用する際大変便利であるが、前記ワイヤレスマウスによって前記信号受信器が増えていることは、携帯時ユーザーに面倒をかける。携帯時に不注意で前記信号受信器を紛失したり、前記ワイヤレスマウス本体だけを持ち歩いて前記信号受信器を携帯するのを忘れてしまうことがしばしば起こる。このように前記ワイヤレスマウスはスムーズな操作ができないのである。
【０００４】
これに鑑み、現在多くのメーカーはワイヤレスマウスの携帯時の利便性を改善する為に、台湾特許第M２７０４３２号で提案しているようなワイヤレスマウス受信器の収納構造がすでにある。図１に従来のワイヤレスマウス受信器の収納構造の概念図を示す。図から分かるように、前記ワイヤレスマウス１が底部に設置されている前記信号受信器２の収納ケース１１で前記信号受信器２に収納され、前記信号受信器２の構造上さらにプッシュバー２１が設計されており、前記プッシュバー２１に設計されている凹部１２に対して前記ワイヤレスマウス１内に設置することができ、ユーザーは前記プッシュバー２１により容易に前記信号受信器２を取り出せるが、前記のようなワイヤレスマウス受信器の収納構造が前記ワイヤレスマウス１の底部に設置されている前記収納ケース１１と前記信号受信器２の相互に生じる干渉力により、前記信号受信器２の長さ大きさと前記ワイヤレスマウス１の底部に設置されている前記収納ケース１１が極度に噛み合う。従って前記信号受信器２を前記収納ケース１１に設置するとき、前記信号受信器２と前記収納ケース１１の材質による摩擦力のために相互に抵抗し、前記信号受信器２を前記ワイヤレスマウス１の底部に設置されている前記収納ケース１１内にきっちりと係止させることが可能で、前記信号受信器２を前記ワイヤレスマウス１内に収納させることができる。しかしこのような構造設計の下、ユーザーが長時間繰り返し係止及び取り出しをする過程で、前記信号受信器２と前記ワイヤレスマウス１の底部に設置されている前記収納ケース１１間の干渉力が大幅に低下し、最終的には前記信号受信器２を前記ワイヤレスマウス１の底部に設置されている前記収納ケース１１内にきっちりと係止させることができなくなり、前記信号受信器２が緩んだり、脱落し易くなる。こうなると、前記ワイヤレスマウス１と前記信号受信器２の収納及び携帯時の利便性の意義が失われ、従って、上記の装置構造で触れた欠点をいかに改善するかが、本発明の最重要目的である。
【発明の開示】
【発明が解決しようとする課題】
【０００５】
本発明は無線カーソル制御装置に係り、コンピューターシステムで応用されるものであって、前記カーソル制御装置は無線信号を発する本体と、前記無線信号を受信し、コネクタで前記コンピューターシステムに電気的に接続される無線信号受信器と、前記本体に設置され、前記無線信号受信器を置くためのもので、且つ両側に第一凹溝と第二凹溝を有する収納空間と、自身の回復力により前記収納空間に設けられる前記第一凹溝と第二凹溝に係止するための第一部分と第二部分を有し、且つ、前記収納空間を前記無線信号受信器に設置するとき、前記無線信号受信器に当接するための第一突起部と第二突起部を有する固定支持柱を含むことを特徴とする。
【課題を解決するための手段】
【０００６】
上記の構想によれば、前記本体がワイヤレスマウス本体で、応用されるコンピューターシステムはパソコン或いはノートパソコンである。
【０００７】
上記の構想によれば、前記無線信号受信器がユニバーサルシリアルバスのプラグによりコネクタ式で前記コンピューターシステムに電気的に接続される。
【０００８】
上記の構想によれば、前記無線信号受信器の上に第一固定欠部と第二固定欠部を備えることが可能で、前記固定支持柱に設けられる第一突起部と前記第二突起部に当接させる。
【０００９】
上記の構想によれば、前記収納空間がさらに第三凹溝と前記第三凹溝の上に屋根構造を含み、前記第三凹溝と前記屋根構造は前記収納空間にある前記無線信号受信器と固定できる。
【００１０】
上記の構想によれば、前記固定支持柱がさらに第三突起部を含み、前記固定支持柱に設けられている前記第一部分及び前記第二部分を前記収納空間に設けられている第一凹溝及び前記第二凹溝に係止する時、前記第三突起部が同時に前記第三凹溝に係止できる。
【００１１】
上記の構想によれば、前記固定支持柱がステンレスの弾性支持柱で、その前記第一部分と前記第二部分を自身の回復力により前記収納空間に設けられる前記第一凹溝と第二凹溝に係止させる。
【００１２】
上記の構想によれば、前記固定支持柱が前記収納空間に係止した後、下押しの方法で前記無線信号受信器を前記収納空間に設置でき、前記固定支持柱は前記第一突起部と前記第二突起部により前記無線信号受信器に当接され、前記収納空間の長さはほぼ前記無線信号受信器より大きく、設置後に生じる空間は使用者が前記無線信号受信器を取り出す時に利用できる。
【００１３】
上記の構想によれば、前記収納空間の長さがほぼ前記無線信号受信器の長さより大きく且つ傾斜面を有し、前記傾斜面は無線信号受信器を前記収納空間に設置する時に、スライド方式で前記無線信号受信器を前記収納空間に設置させることができ、前記固定支持柱は前記第一突起部と前記第二突起部により前記無線信号受信器に当接される。
【発明を実施するための最良の形態】
【００１４】
［実施例］
図２（ａ）に従来装置の欠点を改善した無線カーソル制御装置を示す第一に好ましい実施例を示す。本発明が提案している前記無線カーソル制御装置は現在すでに普及しているパソコン或いはノートパソコンのコンピューターシステムで応用されているワイヤレスマウス３であり、図から分かるように前記ワイヤレスマウス３が主に本体３０、無線信号受信器３１、収納空間３２と固定支持柱３３を含み、前記本体はユーザーの操作に応じて無線信号を発し、カーソルのシフトを制御でき、前記無線信号受信器３１は前記本体３０が発する前記無線信号を受信できユニバーサルシリアルバス（ＵＳＢ）のプラグによりコネクタ式で前記コンピューターシステムの接続ポート（本図には示していない）に接続され、本発明が提案している前記ワイヤレスマウス３の最も重要な特徴は前記ワイヤレスマウス３の本体３０上に設置されている収納空間３２と固定支持柱３３を用いることにより前記無線信号受信器３１の収納と固定を行うことである。以下に本発明の特徴についてさらに説明する。
【００１５】
図２（ｂ）に前記固定支持柱３３と前記本体３０に設置された前記収納空間３２の結合を示す概念図を示す。図に示すように前記ワイヤレスマウスの前記収納空間３２は前記無線信号受信器３１の大きさに合う空間に前記無線信号受信器３１を設置させる以外に、前記収納空間３２の両側に第一凹溝３２１と第二凹溝３２２を有し（図２（ａ）に示すように）、前記固定支持柱３３が外力によって押し出された後、回復力により本来の形状に戻るステンレスの弾性支持柱であり、前記無線信号受信器３１が第一部分３３１及び第二部分３３２により前記収納空間３２に設けられている第一凹溝３２１及び第二凹溝３２２で係止する。前記固定支持柱３３自身が前記回復力を有するので、前記固定支持柱３３に設けられている前記第一部分３３１及び前記第二部分３３２を前記収納空間３２に設けられている前記第一凹溝３２１及び前記第二凹溝３２２に係止する時、前記固定支持柱３３が有する回復力により前記固定支持柱３３は前記収納空間３２内にしっかりと結合される。
【００１６】
図２（ｃ）に前記無線信号受信器３１が前記収納空間３２に収納されたことを示す概念図を示す。上記のような前記固定支持柱３３と前記本体３０に設置された前記収納空間３２の結合後、図に示すように、前記無線信号受信器３１が前記収納空間３２に収納され、その後前記無線信号受信器３１は前記固定支持柱３３に設けられている第一突起部３３３と第二突起部３３４に当接される。こうすると、前記無線信号受信器３１を前記収納空間３２に収納することができた後、前記固定支持柱３３に設けられている前記第一突起部３３３と前記第二突起部３３４が前記無線信号受信器３１を固定させることが可能で、また簡単には緩んだり脱落しなくなるため、本発明の最重要目的を達成することができる。
【００１７】
上記によると、本発明が提案するワイヤレスマウス３の主な特徴は前記固定支持柱３３と前記本体３０に設置された前記収納空間３２の結合後、固定支持柱に設けられている前記第一突起部３３３と前記第二突起部３３４により前記収納空間３２内に収納されている前記無線信号受信器３１と当接し、固定させることができ、このように本発明が強く提起している主な主旨を達成する。この他に、前記無線信号受信器３１上に設置されている前記第一突起部３３３と前記第二突起部３３４に対応する第一固定欠部と第二固定欠部を備えることが可能で、前記無線信号受信器３１が前記収納空間３２に収納された後、前記無線信号受信器３１はさらに容易に前記固定支持と当接固定され、同様に本発明の目的を達成することができる。
【００１８】
図３（ａ）に従来装置の欠点を改善した無線カーソル制御装置を示す第二に好ましい実施例を示す。本例中の前記無線カーソル制御装置における、ワイヤレスマウス４の例を説明する。第一に好ましい実施例との最も大きな違いは本実施例が述べるワイヤレスマウス４にあり、その本体４０に設置された収納空間４２はその両側に第一に好ましい実施例で述べた前記第一凹溝４２１及び前期第二凹溝４２２以外に、さらに第三凹溝４２３と前記第三凹溝の上に屋根構造４２４を含む。従って、相対する固定支持柱４３上にさらに前記第三凹溝４２３に係止できる第三突起部４３５を有するので、本実施例中で、前記固定支持柱４３は前記第一部分４３１、前記第二部分４３２及び前記第三突起部４３５により前記収納空間４２に設けられている前記第一凹溝４２１、前記第二凹溝４２２及び前記第三凹溝４２３で係止し、前記固定支持柱４３と前記収納空間４２の結合後を図３（ｂ）に示す。前記無線信号受信器４１を前記収納空間４２に収納した後、前記固定支持柱に設けられている前記第一突起部４３３と前記第二突起部４３４が前記無線信号受信器４１を当接固定できる以外に、前記収納空間４２が備える屋根構造４２４は前記無線信号受信器４１に設置された後さらに前記無線信号受信器４１と固定され、前記無線信号受信器４１が前記収納空間４２に収納された後を図３（ｃ）に示す。本実施例中において、部分的な技術手段と第一に好ましい実施例は同じであるので、説明を省略する。
【００１９】
図４（ａ）（ｂ）に前記無線信号受信器が本体に設置された収納空間の中に設置される設置方式を示す概念図を示す。上記の実施例の説明から、はっきりと分かるように、本発明で述べている前記ワイヤレスマウス４が前記無線信号受信器４１に収納された時、構造上、第一に好ましい実施例と第二に好ましい実施例の二種類の形式があり、この二種類の収納構造において、ユーザーは図４（ａ）が示している下押しの方法で前記無線信号受信器４１を前記収納空間４２に設置することができ、また、図４（ｂ）が示すように、前記収納空間４２の長さがほぼ前記無線信号受信器４１の長さより大きく且つ傾斜面４２５を有するので、前記傾斜面４２５は前記無線信号受信器４１を前記収納空間４２に設置する時に、スライド方式で前記無線信号受信器４１を前記収納空間４２に設置させることができる。従って、第一に好ましい実施例と第二に好ましい実施例が提案している収納構造を問わず、下押しの方法或いはスライド方式で楽に前記無線信号受信器４１を前記収納空間４２に収納することができる。
【００２０】
以上のことをまとめると、第一に好ましい実施例と第二に好ましい実施例で述べている前記ワイヤレスマウスの主な特徴は前記ワイヤレスマウス本体に設置されている収納空間とそれに相対する前記固定支持柱を合わせ、前記無線信号受信器を収納及び固定する。前記固定支持柱が通常前記ステンレスの弾性支持柱（もちろんその他の材質でもよい）であるので、ユーザーが前記無線信号受信器を何度も繰り返し出し入れした後、前記ステンレスの弾性支持柱は最適な使用状態を維持することができる。従来技術が提案していた収納ケースと信号受信器の材質間の干渉力により信号受信器を収納させる収納構造は、長期間取り出しを行うと脱落を引き起こしていたが、本発明の技術手段により従来技術に生じていた欠点を確実に解決し、さらに本発明の主な目的を達成した。
【００２１】
もちろん、本発明は類似した本体と無線信号受信器のパソコン周辺機器に転用することが可能で、例えば無線キーボード或いはコードレスコンパクトコントローラー上で同様に効果を達成できる。本発明はこの技術を熟知している者によって任意に手を加えることができるが、請求項が保護しているものを逸脱してはならない。
【００２２】
本発明について、以下の図面と説明により一層理解が得られる。
【図面の簡単な説明】
【００２３】
【図１】従来のワイヤレスマウス受信器の収納構造を示す概念図。
【図２（ａ）】従来装置の欠点を改善した無線カーソル制御装置を示す第一に好ましい実施例。
【図２（ｂ）】固定支持柱と本体に設置された収納空間の結合を示す概念図。
【図２（ｃ）】前記無線信号受信器が前記収納空間に収納されたことを示す概念図。
【図３（ａ）】従来装置の欠点を改善した無線カーソル制御装置を示す第二に好ましい実施例。
【図３（ｂ）】第二に好ましい実施例において、固定支持柱と本体に設置された収納空間の結合を示す概念図。
【図３（ｃ）】第二に好ましい実施例において、前記無線信号受信器が前記収納空間に収納されたことを示す概念図。
【図４（ａ）】前記無線信号受信器が本体に設置された収納空間の中に設置される設置方式を示す概念図。
【図４（ｂ）】前記無線信号受信器が本体に設置された収納空間の中に設置される設置方式を示す概念図。
【符号の説明】
【００２４】
１      ワイヤレスマウス
１１    収納ケース
１２    凹部
３      ワイヤレスマウス
３０    本体
３１    ワイヤレスマウス受信器
３２    収納空間
３３    固定支持柱
３２１  第一凹溝
３２２  第二凹溝
３３１  第一部分
３３２  第二部分
３３３  第一突起部
３３４  第二突起部
３１１  第一固定欠部
３１２  第一固定欠部
４      ワイヤレスマウス
２１    プッシュバー
２      信号受信器
４０    本体
４１    無線信号受信器
４２    収納空間
４３    固定支持柱
４２１  第一凹溝
４２２  第二凹溝
４２３  第三凹溝
４３１  第一部分
４３２  第二部分
４３３  第一突起部
４３４  第二突起部
４３５  第三突起部
４２４  屋根部材
４２５  傾斜面
【図１】
2007164758.tif 000003
【図２（ａ）】
2007164758.tif 000004
【図２（ｂ）】
2007164758.tif 000005
【図２（ｃ）】
2007164758.tif 000006
【図３（ａ）】
2007164758.tif 000007
【図３（ｂ）】
2007164758.tif 000008
【図３（ｃ）】
2007164758.tif 000009
【図４（ａ）】
2007164758.tif 000010
【図４（ｂ）】
2007164758.tif 000011